(57)【特許請求の範囲】
【請求項１】
洗浄液と左右のコンタクトレンズを個別に入れる独立した一対の有底筒状部を有するケース本体と、
前記一対の有底筒状部の開放端に着脱可能な一対の偏平な逆有底筒状をなすキャップ体とを有するコンタクトレンズケースを保持するためのホルダーであって、輪体の一部分に開放部を有し、洗浄液ボトルの首部に弾性を利用して嵌め込む掛脱輪部と、
前記ケース本体の有底筒状部を結合するフランジ部を挟み込む上下２股片による挟着部と、
偏平な逆有底筒状をなすキャップ体の開放端を下方に向けて該筒状部の外周を保持する輪体による一対のキャップ体保持部とを、
前記掛脱輪部を中にして、その左右いずれかに前記挟着部とキャップ体保持部とをそれぞれ一体的に形成したことを特徴とするコンタクトレンズケースホルダー。
【請求項２】
平板状摘み部を前記掛脱輪部の開放部の反対側に設ける請求項１記載のコンタクトレンズケースホルダー。
【請求項３】
キャップ体保持部は、輪体の一部分に開放部を有し、輪体の内周下縁には内方に向けて係止突起を設けた請求項１および請求項２記載のコンタクトレンズケースホルダー。
【請求項４】
キャップ体保持部となる輪体は、内周上縁をテーパー状として拡径する請求項１ないし請求項３のいずれかに記載のコンタクトレンズケースホルダー。
【請求項５】
輪体の一部分に有る開放部を形成する輪体端は外向きに広げた請求項１ないし請求項４のいずれかに記載のコンタクトレンズケースホルダー。
【請求項６】
２股片による挟着部は、下側挟片を上側挟片片よりも大きく形成した請求項１ないし請求項５のいずれかに記載のコンタクトレンズケースホルダー。
【発明の詳細な説明】
【技術分野】
【０００１】
本発明は、コンタクトレンズケースのホルダーに関する。
【背景技術】
【０００２】
コンタクトレンズ（以下単にレンズ）は、装用中に付着した雑菌を消毒し汚れを除去するために使用後洗浄剤で洗浄する必要がある。
【０００３】
このため、一般的には、就寝前に外し、レンズケース内に洗浄剤と一緒に入れて一晩放置し、翌朝再び装着するという人が多い。レンズケースは通常、左右の目（レンズ）用に分かれ、かつ着脱可能なケース本体とキャップ体とからなっている。
【０００４】
その一例として図７に示すようにコンタクトレンズケース１０は、合成樹脂材料の成形品からなるもので、一つのケース本体１１と、二つのキャップ体１２とからなっている。
【０００５】
ケース本体１１は、同一平面上に位置し同一方向に向く一対の有底筒状部１３を有し、各有底筒状部１３の外周面には雄ねじ１３ａが形成されている。各有底筒状部１３は、その開放端に軸線と直交する端面１３ｂを有している。
【０００６】
前記一対の有底筒状部１３はフランジ１４で結合される。
【０００７】
一対の同一形状のキャップ体１２は、偏平な逆有底筒状をなしていて、その開放端に軸線と直交する端面１２ａを有しており、その内周面には、雄ねじ１３ａと螺合する雌ねじ１２ｂが形成されている。本コンタクトレンズケース１０に収納するレンズは、左右で度数等の仕様が異なることがあるため、キャップ体１２にはその表面（底部外面）に、左右表示１２ｃが付されている。
【０００８】
以上のコンタクトレンズケース１０は、一対の有底筒状部１３内に洗浄液と左右のレンズを入れた後、雄ねじ１３ａに雌ねじ１２ｂを螺合させて有底筒状部１３とキャップ体１２により密閉空間を作ることで、その姿勢を問わず洗浄液の漏洩を防ぎ、常時レンズと洗浄液を接触させることができる。ケース本体１１の有底筒状部１３とキャップ体１２との結合態様はねじ以外の結合態様、例えば単なる嵌め合いでもよい。
【０００９】
コンタクトレンズケース１０は、洗浄剤を捨てた後、清水（一般的に水道水）で洗浄し、乾燥させるが、この際、できるだけかびや雑菌の付着を防止しないと、再び使用する際、洗浄時と一緒に入れるレンズが汚染されてしまう可能性がある。
【００１０】
ところが、コンタクトレンズケース１０は、ケース本体１１とキャップ体１２に分かれていて、それぞれを別々に乾燥させなければならないため、面倒であった。
【００１１】
下記特許文献は、ケース本体とキャップ体を、雑菌の付着のおそれなく、容易に乾燥させることができるレンズケースホルダーとして提案されたものである。
【特許文献１】特開２００４−２９８５６４号公報
【００１２】
この特許文献１は、前記ケース本体１１の有底筒状部１３の端面１３ｂの外周縁と、キャップ体１２の端面１２ａの外周縁のそれも一部だけに接触して保持するホルダーである。
【００１３】
図８に示すように、ホルダー２０は、合成樹脂材料の成形品からなるもので、平板状基板２１を有しており、その上面周縁には、該基板２１上に置いたコンタクトレンズケース１０が脱落するのを防止する脱落防止突縁２２が形成されている。
【００１４】
一方、平板状基板２１の下面には、その略中央部にケース本体１１を保持するための一対のテーパ脚部２３が垂下形成されており、このテーパ脚部２３の左右に、一対のキャップ体１２を保持するための各一対のテーパ脚部２４が一直線上に並べて形成されている。
【００１５】
平板状基板２１には、吸盤２５に結合するための結合部２６が形成されており、吸盤２５を垂直面に吸着すると、平板状基板２１が略水平になる。
【００１６】
一対のテーパ脚部２３は、平板状基板２１から下方に向けて間隔を縮小するものである。
【００１７】
ケース本体１１の一対の有底筒状部１３の並び方向の最大の長さよりも一対のテーパ脚部２３の上端の間隔は十分大きい。また、一対の有底筒状部１３の端面１３ｂ上の最大の距離は、一対のテーパ脚部２３の下端の間隔より大きい。よって、有底筒状部１３の開口端を下に向けたケース本体１１を一対のテーパ脚部２３の間に挿入すると、有底筒状部１３の端面１３ｂの外周縁とテーパ脚部２３とが点接触または線接触し、これ以外の部分に接触することなく、ケース本体１１を保持することができる。
【００１８】
同様に、一対のテーパ脚部２４は、平板状基板２１から下方に向けて間隔を縮小するものである。平面円形をなすキャップ体１２の径（端面１２ａの外周縁径）よりも、一対のテーパ脚部２４の上端の間隔は十分大きい。また、一対のテーパ脚部２４の下端の間隔は平面円形をなすキャップ体１２の径より小さい。
【００１９】
よって、開口端を下に向けたキャップ体１２を一対のテーパ脚部２４の間に挿入すると、キャップ体１２の端面１２ａの外周縁とテーパ脚部２４とが点接触または線接触し、これ以外の部分に接触することなく、キャップ体１２を保持することができる。
【００２０】
すなわち、一対のテーパ脚部２３は、ケース本体１１の有底筒状部１３の端面１３ｂの外周縁に２カ所で点または線接触して保持する本体保持部を構成し、一対のテーパ脚部２４は、キャップ体１２の端面１２ａの外周縁に２カ所で点または線接触して保持する一対のキャップ体保持部を構成する。
【００２１】
従って、洗浄後のケース本体１１とキャップ体１２を保持すれば、雑菌の付着のおそれなく、乾燥することができる。ホルダー２０は適当な台の上に載置してもよく、吸盤２５を用いて垂直面に吸着保持してもよい。
【発明の開示】
【発明が解決しようとする課題】
【００２２】
しかし、前記特許文献１では、ホルダーは台の上に載置するか、吸盤を用いて垂直面に吸着保持するものであり、台の上に載置するのでは、通気、その他で十分な乾燥が得られないこともある。
【００２３】
また、吸盤を用いて垂直面に吸着保持するのでは、使用の都度吸着させる作業を行うか、もしくは、常時、吸着させて固定して設けて置くかに限定され、２個の吸盤でホルダーを水平に設置するのが困難であり、また、吸盤は剥がれ易く、不安定である。固定的に設けるのでは、使用場所が限定されてしまし、使い勝手が悪い。
【００２４】
本発明の目的は前記従来例の不都合を解消し、コンタクトレンズのケース本体とキャップ体を、雑菌の付着のおそれなく、容易に乾燥させることができるものであり、レンズケースホルダーとして、洗浄液ボトルの首部に着脱自在に挟着して設置できるので、設置が楽に行え、使い勝手がよく、また、十分な通気により乾燥効率もよいコンタクトレンズケースホルダーを提供することにある。
【課題を解決するための手段】
【００２５】
前記目的を達成するため、請求項１記載の本発明は、洗浄液と左右のコンタクトレンズを個別に入れる独立した一対の有底筒状部を有するケース本体と、前記一対の有底筒状部の開放端に着脱可能な一対の偏平な逆有底筒状をなすキャップ体とを有するコンタクトレンズケースを保持するためのホルダーであって、輪体の一部分に開放部を有し、洗浄液ボトルの首部に弾性を利用して嵌め込む掛脱輪部と、前記ケース本体の有底筒状部を結合するフランジ部を挟み込む上下２股片による挟着部と、偏平な逆有底筒状をなすキャップ体の開放端を下方に向けて該筒状部の外周を保持する輪体による一対のキャップ体保持部とを、前記掛脱輪部を中にして、その左右いずれかに前記挟着部とキャップ体保持部とをそれぞれ一体的に形成したことを要旨とするものである。
【００２６】
請求項１記載の本発明によれば、ホルダーは弾性を利用して嵌め込む掛脱輪部を用いて洗浄液ボトルの首部に一定の高さを保持して中空に浮かした状態で、水平に設置でき、このように設置したホルダーの挟着部にフランジ部を差し入れることで、前記ケース本体を一対の有底筒状部の開放端を下方に向けて、ホルダーの片側に設置でき、また、他の片側では、輪体による一対のキャップ体保持部に、逆有底筒状キャップ体の開放端を下方に向けて該筒状部の外周を保持させることで設置して、ケース本体とキャップ体を、カビや雑菌の付着のおそれなく、容易に乾燥させることができる。
【００２７】
請求項２記載の本発明は、平板状摘み部を前記掛脱輪部の開放部の反対側に設けることを要旨とするものである。
【００２８】
請求項２記載の本発明によれば、掛脱輪部は輪体の開放部を押し広げながら洗浄液ボトルの首部に嵌め込むが、その作業を平板状摘み部を摘まむことで、スムーズに行うことができ、また、外す場合も同様である。
【００２９】
請求項３記載の本発明は、キャップ体保持部は、輪体の一部分に開放部を有し、輪体の内周下縁には内方に向けて係止突起を設けたことを要旨とするものである。
【００３０】
請求項３記載の本発明によれば、キャップ体保持部に逆有底筒状キャップ体の開放端を下方に向けて保持させるのに、上から輪体内に落とし込む場合と、開放部を押し広げながら横から差し入れる場合のいずれでも選択でき、いずれの場合も、差し入れ後は係止突起で点接触で保持される。
【００３１】
請求項４記載の本発明は、キャップ体保持部となる輪体は、内周上縁をテーパー状として拡径することを要旨とするものである。
【００３２】
請求項４記載の本発明によれば、キャップ体保持部の輪体内に逆有底筒状キャップ体を上から落とし込むのに、内周上縁がテーパー状に拡径されているので、落とし込み易いものとなる。
【００３３】
請求項５記載の本発明は、輪体の一部分に有る開放部を形成する輪体端は外向きに広げたことを要旨とするものである。
【００３４】
請求項５記載の本発明によれば、輪体の一部分に有る開放部を形成する輪体端は外向きに広げたので、開放部を入口が拡径されたものとなり、掛脱輪部の場合も、キャップ体保持部の場合も、いずれも開放部を入口として押し広げながら挿入（掛脱輪部の場合は洗浄液ボトルの首部の挿入、キャップ体保持部の場合は逆有底筒状キャップ体の挿入）を開始する場合に、楽に行えるものとなる。
【００３５】
請求項６記載の本発明は、２股片による挟着部は、下側挟片を上側挟片よりも大きく形成したことを要旨とするものである。
【００３６】
請求項６記載の本発明によれば、２股片による挟着部のうち、下側挟片は挟み込まれる一対の有底筒状部の開放端に着脱可能な一対の偏平な逆有底筒状をなすキャップ体のフランジを支えるのに十分な大きさとなり、上側挟片は前記フランジを挟み込ませるのに、容易に行えるように小さいものとなる。
【発明の効果】
【００３７】
以上述べたように本発明のコンタクトレンズケースホルダーは、コンタクトレンズのケース本体とキャップ体を、雑菌の付着のおそれなく、容易に乾燥させることができるものであり、レンズケースホルダーとして、洗浄液ボトルの首部に着脱自在に挟着して設置できるので、設置が楽に行え、使い勝手がよく、また、十分な通気により乾燥効率もよいものである。
【発明を実施するための最良の形態】
【００３８】
以下、図面について本発明の実施の形態を詳細に説明する。図１は本発明のコンタクトレンズケースホルダーの１実施形態を示す平面図、図２は同上正面図、図３は図１のＡ―Ａ線断面図、図４は同上Ｂ―Ｂ線断面図である。
【００３９】
本発明のコンタクトレンズケースホルダーも前記特許文献１と同様に、洗浄液と左右のコンタクトレンズを個別に入れる独立した一対の有底筒状部を有するケース本体と、前記一対の有底筒状部の開放端に着脱可能な一対の偏平な逆有底筒状をなすキャップ体とを有するコンタクトレンズケースを保持するためのホルダーであり、このコンタクトレンズケースについては、前記図８で説明した通りであり、コンタクトレンズケース１０は、合成樹脂材料の成形品からなるもので、一つのケース本体１１と、二つのキャップ体１２とからなっている。その他の詳細説明は前記図７についてした通りであり省略する。
【００４０】
本発明のホルダー５は、図５、図６に示すように、洗浄液ボトル１の首部１ａに嵌めて、中空に水平に浮かすように設置するものであり、洗浄液ボトル１の首部１ａに弾性を利用して嵌め込む掛脱輪部２と、コンタクトレンズケースのケース本体１１の有底筒状部１３を結合するフランジ部１４を挟み込む上下２股片による挟着部３と、逆有底筒状キャップ体１２の開放端を下方に向けてその外周を保持する輪体による一対のキャップ体保持部４とからなる。
【００４１】
洗浄液ボトル１は、本体から上の突き出る首部１ａは、キャップが嵌るネジ部を形成したノズル部でもあり、メーカーの種類や洗浄液の量により本体の径が異なり容量が相違するとしても、首部１ａの径はほとんど差がない。
【００４２】
本発明のホルダー５は、合成樹脂製の成形品であり、前記掛脱輪部２を中にして、その左右いずれかに前記挟着部３とキャップ体保持部４とをそれぞれ一体的に形成した。
【００４３】
掛脱輪部２は、縦の帯状体で輪体６形成し、その内側に向けてリブ２ａを長さ方向に形成しており、輪体６の一部分に開放部７を有する。前記洗浄液ボトル１の首部１ａは、この開放部７を押し広げながら通過して、その後は輪体６の弾性により該開放部７は元の大きさに戻る。
【００４４】
前記輪体６の一部分に有る開放部７を形成する輪体端２ｂは外向きに広げ、相互にハの字形になるようにする。また、角が無いようにすべてアール（Ｒ）に成形する。
【００４５】
前記掛脱輪部２の開放部７の反対側に、平板状摘み部８を設けた。この平板状摘み部８は掛脱輪部２の外側から開放部７とは逆向きに伸びるものであり、掛脱輪部２との結合部近くの左右はへこみ８ａを形成して縊らせ、また、平面的な大きさはこの平板状摘み部８を上下に親指と人さし指で挟んだ場合に十分なものとし、裏側には曲げた人さし指が引っ掛かるように端部に突起８ｂを下向に形成した。
【００４６】
上下２股片による挟着部３は、図示では掛脱輪部２の右側に設けるが、反対の左側でもよく、正三角形の各辺を窪ませた略三角形状の下側挟片３ａを略三角形状で、先端角部を尖らせた上側挟片片３ｂよりも面積を大きく形成し、中央に抜き穴２９を形成した。（図３参照）
【００４７】
さらに、前記上側挟片３ｂの先端角部裏側に溝３ｄを形成し、その先を下向の突起３ｃとした。
【００４８】
前記一対のキャップ体保持部４は、図示では掛脱輪部２の左側にメガネ状に並ぶように設けた（反対の左側でもよい）が、前記掛脱輪部２よりも幅広の縦の帯状体で輪体９を形成し、その一部分に開放部２７を形成する。該開放部２７は一対のキャップ体保持部４において対称的に位置し、開放部２７は外向きになる。
【００４９】
さらに、前記掛脱輪部２と同じく、前記輪体９の一部分に有る開放部２７を形成する輪体端４ｂは外向きに広げ、相互にハの字形になるようにし、また、角が無いようにすべてアール（Ｒ）に成形する。
【００５０】
また、キャップ体保持部４となる輪体９は、内周上縁４ａをテーパー状として拡径し、内周下縁には内方に向けて係止突起２８を図示の例では３個、そのうち、２個は前記輪体端４ｂの近く、もう一つは前記開放部２７に対向する位置で、奥部に設けた。この係止突起２８は逆有底筒状キャップ体１２の開放端を下方に向けてその外周をキャップ体保持部４が抱持した時に、逆有底筒状キャップ体１２の外周端面１２ａの外周縁に当接して、逆有底筒状キャップ体１２が下に抜け出ないようにするものである。
【００５１】
次に使用法について説明する。図５、図６は使用状態を示すもので、本発明のコンタクトレンズケースホルダー５の設置は、掛脱輪部２を洗浄液ボトル１の首部１ａに嵌めて、水平状態で中空に浮かすようにする（図６参照）。
【００５２】
平板状摘み部８を指で摘まんで、開放部７を首部１ａで押し広げるように差し込む。
【００５３】
ケース本体１１のフランジ１４を挟着部３に差し入れ、下側挟片３ａでこのケース本体１１を支えるようにする。その際、ケース本体１１の有底筒状部１３はその解放端が下に向くようにする。
【００５４】
また、一対のキャップ体保持部４の輪体９にキャップ体１２を偏平な逆有底筒状の開放端を下向きに嵌めるが、上から落とし込んでも、また、開放部２７から横向きに差入れてもよい。
【００５５】
キャップ体１２は、係止突起２８で係止される。
【図面の簡単な説明】
【００５６】
【図１】本発明のコンタクトレンズケースホルダーの１実施形態を示す平面図である。
【図２】本発明のコンタクトレンズケースホルダーの１実施形態を示す正面図である。
【図３】図１のＡ―Ａ線断面図である。
【図４】図１のＢ―Ｂ線端面図である。
【図５】本発明のコンタクトレンズケースホルダーの使用状態を示すもので、設置前の斜視図である。
【図６】本発明のコンタクトレンズケースホルダーの使用状態を示すもので、設置後の斜視図である。
【図７】コンタクトレンズケースの一例を示す斜視図である。
【図８】従来例を示す斜視図である。
【符号の説明】
【００５７】
１…洗浄液ボトル              １ａ…首部
２…掛脱輪部                  ２ａ…リブ
２ｂ…輪体端
３…挟着部                    ３ａ…下側挟片
３ｂ…上側挟片                ３ｃ…突起
３ｄ…溝
４…キャップ体保持部          ４ａ…内周上縁
４ｂ…輪体端                  ５…ホルダー
６…輪体                      ７…開放部
８…平板状摘み部              ８ａ…へこみ
８ｂ…突起                    ９…輪体
１０…コンタクトレンズケース  １１…ケース本体
１２…キャップ体              １２ａ…端面
１２ｂ…雌ねじ                １２ｃ…左右表示
１３…有底筒状部              １３ａ…雄ねじ
１３ｂ…端面                  １４…フランジ
２０…ホルダー
２１…平板状基板              ２２…脱落防止突縁
２３…テーパ脚部              ２４…テーパ脚部
２５…吸盤                    ２６…結合部
２７…開放部                  ２８…係止突起
２９…抜き穴
【図１】
0005156103.tif 000002
【図２】
0005156103.tif 000003
【図３】
0005156103.tif 000004
【図４】
0005156103.tif 000005
【図５】
0005156103.tif 000006
【図６】
0005156103.tif 000007
【図７】
0005156103.tif 000008
【図８】
0005156103.tif 000009